(57)【要約】【課題】シートクッションの上に物を置いていてもシートバックを倒してトレイに使用できるようなシートバック取付構造を持ったセンターシートを提案する。【解決手段】本発明によるセンターシート１は、シートバック３の回動中心ａをシートクッション２から所定間隔離れた高さに設け、倒したシートバック３とシートクッション２との間に隙間ｄが空くようにしたことを特徴とする。具体的には、シートクッション２の後端に所定高さ上方へ延長したヒンジ部材４，５を配設し、該ヒンジ部材４，５の先端側にシートバック３を軸支する。【選択図】図２
2006176040.tif 000002
【特許請求の範囲】
【請求項１】
シートバックの回動中心をシートクッションから所定間隔離れた高さに設け、倒した前記シートバックと前記シートクッションとの間に隙間が空くようにしたことを特徴とするセンターシート。
【請求項２】
前記シートクッションの後端に所定高さ上方へ延長したヒンジ部材を配設し、該ヒンジ部材の先端側に前記シートバックを軸支することを特徴とする請求項１記載のセンターシート。
【請求項３】
背面がほぼ水平となるように倒した時の前記シートバックの位置をロックするロック手段を設けたことを特徴とする請求項１又は請求項２記載のセンターシート。
【請求項４】
頭部方向へスライドさせることが可能なトレイを、前記シートバックの背面に設けたことを特徴とする請求項１〜３のいずれか１項に記載のセンターシート。
【発明の詳細な説明】
【技術分野】
【０００１】
本発明は、車両の運転席と助手席の間にあるセンターシートにおける可倒式シートバックの取付構造に関する。
【背景技術】
【０００２】
キャブオーバー型のトラックでは運転席と助手席の間に補助席としてセンターシートが設けられているが、このセンターシートのシートバックを可倒式とし、倒した時のシートバック上面（つまり背面）をトレイとして使用できるようにした技術がたとえば特許文献１〜５に開示されている。
【特許文献１】実開昭５６−１３６８４０号公報
【特許文献２】実開昭６２−００６１５５号公報
【特許文献３】実開昭６２−００６１５６号公報
【特許文献４】実開昭６２−０７１０５５号公報
【特許文献５】実開平０３−１０８５４２号公報
【発明の開示】
【発明が解決しようとする課題】
【０００３】
上記特許文献に開示された技術はいずれも、水平に倒したシートバックがシートクッションに当接して隙間ができないようにしてあるが、この場合、シートクッションの上に上着や鞄を置いているとシートバックを倒すことができなくなる。すなわち、シートバックを倒してトレイを使用しようと思うと、シートクッションの上に置いていた上着や鞄を除けなければならない。
【０００４】
この点に鑑みて本発明は、シートクッションの上に物を置いていてもシートバックを倒してトレイに使用できるようなシートバック取付構造を持ったセンターシートを提案する。
【課題を解決するための手段】
【０００５】
本発明によるセンターシートは、可倒式シートバックの回動中心をシートクッションから所定間隔離れた高さに設け、倒したシートバックとシートクッションとの間に隙間が空くようにしたことを特徴とする。具体的には、シートクッションの後端に所定高さ上方へ延長したヒンジ部材を配設し、該ヒンジ部材の先端側にシートバックを軸支する。より好ましくは、背面がほぼ水平となるように倒した時のシートバックの位置をロックするロック手段を設けておくと良い。
【０００６】
従来の技術では、シートクッション後端にシートバックを軸支して回動させており、倒したシートバックとシートクッションとが当接して隙間ができないようになっていた。本発明はここに着目し、シートバックの回動中心をシートクッションの後端から離して所定の高さ上げることにより、倒したシートバックとシートクッションとが当接しない間隔を形成するようにしたものである。また、倒したシートバックの水平状態を維持するロック手段を設けることにより、トレイとしての使用勝手を向上させ且つシートクッションとの間隔もより大きく保持することができるようになる。
【発明の効果】
【０００７】
本発明によれば、シートバックの回動中心を上に離すことによりシートクッションとの間に間隔を形成し、倒したシートバックとシートクッションとの間に大きな隙間を形成することに成功している。これにより、シートクッション上に上着や鞄を置いていてもそのままシートバックを倒してトレイに使用することができるようになり、使い勝手や収容スペースを向上させることができる。
【発明を実施するための最良の形態】
【０００８】
図１〜図３に、本発明の好適な実施形態を示し説明する。図１はセンターシートのシートバックを起こした状態、図２はシートバックを倒した状態、図３はシートバック背面のトレイを開位置にして使用する状態をそれぞれ図示している。
キャブオーバー型のトラックに設置される例を示したセンターシート１は、運転席Ｊ（左ハンドル車の場合）の隣に配設され、シートクッション２とシートバック３とから構成されている。なお、右ハンドル車の場合は図示の逆の座席配置となる。
【０００９】
シートクッション２の後端には上方へ所定の高さ延長されたヒンジ部材４，５が設置され、該ヒンジ部材４，５の先端側にシートバック３の軸支点ａが設けられている。ヒンジ部材４，５に軸支されたシートバック３は、軸支点ａを回動中心として、起こした位置（図１）と水平状態に倒した位置（図２）とに回動でき且つその各位置でロックされるようになっている。その図示せぬロック手段は、たとえばヒンジ部材４，５に設けられる上記特許文献１のような機構を使用することができる。
【００１０】
このようにシートバック３の回動中心をシートクッション２から所定間隔離れた高さに設け、倒したシートバック３とシートクッション２との間に図示のごとく大きな隙間ｄが空くようにしてある。従って、シートクッション２の上に上着や鞄を置いていてもそのままシートバック３を倒してトレイに使用することができる。
シートバック３の背面には、長方形平板状のトレイ６が摺動可能に装着されている。このトレイ６は、図３に示すように、シートバック３の頭部方向（倒した時の車両前方側）へスライドさせることが可能とされ、パーソナルコンピュータ（パソコン）等を置いて使用する際の操作性等、机として使用するときの使い勝手を向上させてある。すなわち、シートバック３を倒した位置にし、トレイ６を車両前方側へスライドさせて突出させると、運転席Ｊの着座者の体よりも前に位置する。従って、このトレイ６にパソコンを載置すれば、体の真横にある時よりも格段に操作し易い体の前方位置に来ることになる。また、体の前方にトレイ６があるので、伝票等に記入するための机として使用しても、大変使い易いものとなる。
【図面の簡単な説明】
【００１１】
【図１】本発明に係るセンターシートについてシートバックを起こした状態で示した斜視図。
【図２】本発明に係るセンターシートについてシートバックを倒した状態で示した斜視図。
【図３】倒したシートバックの背面にあるトレイを開位置にした状態で示した図２相当の斜視図。
【符号の説明】
【００１２】
１  センターシート
２  シートクッション
３  シートバック
４，５  ヒンジ部材
６  トレイ
ａ  軸支点
【図１】
2006176040.tif 000003
【図２】
2006176040.tif 000004
【図３】
2006176040.tif 000005